(57)【要約】      （修正有）【課題】デッドスペースの生じにくい商品陳列具を提供すること。【解決手段】商品陳列具１は、並列に配置されかつ互いに接続された筒状の複数の商品収容部３を備える。商品収容部は、商品を挿入可能である開放前端９及びこれに相対する開放後端１１を有する。商品陳列具１は、さらに、少なくとも１つの商品収容部３に設けられた、２つの商品陳列具１を相互連結するための少なくとも１つの第１の連結部５を備える。【選択図】図１
0003129866.tif 000002
【実用新案登録請求の範囲】
【請求項１】
商品を挿入可能である開放前端及びこれに相対する開放後端を有する、並列に配置されかつ互いに接続された筒状の複数の商品収容部を備える商品陳列具であって、
さらに、少なくとも１つの商品収容部に設けられた、２つの商品陳列具を相互連結するための少なくとも１つの第１の連結部を備える
ことを特徴とする、商品陳列具。
【請求項２】
さらに、各商品収容部に設けられた、前記商品収容部の開放後端からの商品の抜け出しを阻止するための第１のストッパ部を備える
ことを特徴とする、請求項１に記載の商品陳列具。
【請求項３】
前記商品収容部は六角形の横断面形状を有する内周面及び外周面を有し、前記六角形は、長さの等しい互いに相対する２つの短辺及び各短辺より長くかつ互いに等しい４つの長辺を有する
ことを特徴とする、請求項１又は２に記載の商品陳列具。
【請求項４】
互いに隣接する２つの商品収容部は接続部を介して互いに接続され、前記接続部は、前記２つの商品陳列具がこれらの第１の連結部を介して相互に連結されるときに前記２つの商品陳列具の商品収容部の外周面と共同して該外周面の横断面形状である六角形とほぼ同一の六角形の横断面形状を有する筒状の商品収容空間を規定する
ことを特徴とする、請求項３に記載の商品陳列具。
【請求項５】
さらに、前記接続部に設けられ前記商品収容部の開放後端の側に位置する、前記商品収容空間からの商品の抜け出しを阻止するための第２のストッパ部を備える
ことを特徴とする、請求項４に記載の商品陳列具。
【請求項６】
前記第２のストッパ部に吊り下げひもが通される孔が設けられている
ことを特徴とする請求項５に記載の商品陳列具。
【請求項７】
さらに、前記商品収容部の開放後端に設けられた、２つの商品陳列具を相互に連結するための少なくとも１つの第２の連結部を備える
ことを特徴とする、請求項１〜６のいずれか１項に記載の商品陳列具。
【請求項８】
さらに、前記第１の連結部に取り付け可能である商品表示板を備える
ことを特徴とする、請求項１〜７のいずれか１項に記載の商品陳列具。
【考案の詳細な説明】
【技術分野】
【０００１】
本考案は商品陳列具、特に筒状容器に詰められた商品の陳列に適する陳列用具に関する。
【背景技術】
【０００２】
従来、筒状容器（ボトル）に詰められた商品を陳列するための多段の棚を有する商品陳列具が提案されている（後記特許文献１参照）。この商品陳列具の棚にはボトルの下部を差し込み可能である複数の丸穴が設けられている。ボトルは、前記丸穴への差し込みにより起立した状態で陳列され、購買時に前記丸穴から抜き取られる。
【特許文献１】特開２０００−３００４０５号公報（段落番号０００６、０００９、図１参照）
【考案の開示】
【考案が解決しようとする課題】
【０００３】
ところで、前記従来の商品陳列具にあっては、棚と棚との間に、丸穴へのボトルの差し込み又は抜き取りを行うための上方空間を確保することが必要とされる。このため、この上方空間は商品陳列のために利用することができず、商品の陳列上、デッドスペースとなっていた。
【０００４】
本考案の目的は、デッドスペースの生じにくい商品陳列具を提供することにある。
【課題を解決するための手段】
【０００５】
（請求項１記載の考案の特徴）
請求項１記載の考案は、商品陳列具に係り、商品を挿入可能である開放前端及びこれに相対する開放後端を有する、並列に配置されかつ互いに接続された筒状の複数の商品収容部を備え、さらに、少なくとも１つの商品収容部に設けられた、２つの商品陳列具を相互連結するための少なくとも１つの連結部（第１の連結部）を備えることを特徴とする。
【０００６】
請求項１記載の考案によれば、前記商品収容部が、商品を挿入可能である開放前端とこれに相対する開放後端とを有することから、前記商品収容部に対する商品の出し入れは、前記商品収容部に対して商品を手前から奥へあるいは奥から手前へと水平又はほぼ水平に移動させることによって行うことができる。このため、商品の出し入れのために前記商品収容部の上方に商品配置に寄与しない空間（デッドスペース）を必要としない。また、本考案にあっては、連結部（第１の連結部）を介しての１の商品陳列具への他の商品陳列具の連結により、前記１の商品陳列具の上方空間に追加の商品収容部を配置することができ、前記上方空間を商品配置空間として積極的に利用することができる。
【０００７】
（請求項２記載の考案の特徴）
請求項２記載の考案は、請求項１記載の考案の構成に加えて、さらに、各商品収容部に設けられその開放後端からの商品の抜け出しを阻止するためのストッパ部（第１のストッパ部）を備えることを特徴とする。
【０００８】
請求項２記載の考案によれば、前記第１のストッパ部により、商品収容部にその開放前端から挿入された商品がその開放後端から抜け出して落下することを防止することができる。
【０００９】
（請求項３記載の考案の特徴）
請求項３記載の考案は、請求項１又は２記載の考案の構成を備えた上で、前記商品収容部が六角形の横断面形状を有する内周面及び外周面を有し、前記六角形が、長さの等しい互いに相対する２つの短辺及び各短辺より長くかつ互いに等しい４つの長辺を有することを特徴とする。
【００１０】
請求項３記載の考案によれば、前記商品収容部に商品、特に前記ボトルを横倒しの状態で挿入すると、前記商品収容部の横断面で見て、前記ボトルは前記商品収容部の内周面における前記六角形の全ての辺ではなくその一部の辺に接した状態で前記商品収容部に収容される。これは、前記ボトルが前記六角形の全部の辺に接するように収容される場合と比較して、前記商品収容部内における前記ボトルの移動についての自由度が高く、このため、前記商品収容部への前記ボトルの挿入及び抜き取りの各作業をより容易に行うことができる。
【００１１】
（請求項４記載の考案の特徴）
請求項４記載の考案は、請求項３記載の考案の構成を備えた上で、互いに隣接する２つの商品収容部が接続部を介して互いに接続され、前記接続部が、前記２つの陳列用具がこれらの第１の連結部を介して相互に連結されるときに前記２つの陳列用具の商品収容部の外周面と共同して該外周面の横断面形状である六角形とほぼ同一の六角形の横断面形状を有する商品収容空間を規定することを特徴とする。
【００１２】
請求項４記載の考案によれば、２つの商品陳列具を第１の連結部を介して相互に連結したときにこれらの商品陳列具の外周面と接続部とが共同して規定する空間について、各陳列用具の商品収容部の外周面の横断面形状とほぼ同じものとすることにより、実質的に、より多くの商品収容部を現出させることができ、これにより、１の立面上により多くの商品を陳列することができる。
【００１３】
（請求項５記載の考案の特徴）
請求項５記載の考案は、請求項４記載の考案の構成に加えて、さらに、前記接続部に設けられ前記商品収容部の開放後端の側に位置する、前記商品収容空間からの商品の抜け出しを阻止するためのストッパ部（第２のストッパ部）を備えることを特徴とする。
【００１４】
請求項５記載の考案によれば、商品収容部における第１のストッパ部と同様、商品陳列具の連結によって生じる新たな商品収容空間からの商品の抜け出しが第２のストッパ部により防止される。
【００１５】
（請求項６記載の考案の特徴）
請求項６記載の考案は、請求項５記載の考案の構成に加えて、前記第２のストッパ部に吊り下げひもが通される孔が設けられていることを特徴とする。本考案において、「吊り下げひも」とは、ものを吊り下げることができる細長いものを意味し、例えばワイヤ、糸、チェーン等を含む概念である。
【００１６】
請求項６記載の考案によれば、第２のストッパ部に設けられた孔に吊り下げひもを通すことにより、商品陳列具を吊り下げた状態で使用に供することができる。
【００１７】
（請求項７記載の考案の特徴）
請求項７記載の考案は、請求項１〜６のいずれかに記載の考案の構成に加えて、さらに、前記商品収容部の開放後端に設けられた、２つの商品陳列具を相互に連結するための少なくとも１つの連結部（第２の連結部）を備えることを特徴とする。
【００１８】
請求項７記載の考案によれば、前記第２の連結部を介して、２つの商品陳列具をこれらの商品収容部の開放後端が互いに相対するように、すなわち背中合わせに連結することができ、これによりさらに異なる商品の陳列態様を現出することができる。
【００１９】
（請求項８記載の考案の特徴）
請求項８記載の考案は、請求項１〜７のいずれかに記載の考案の構成に加えて、さらに、前記第１の連結部に取り付け可能である商品表示板を備えることを特徴とする。
【００２０】
請求項８記載の考案によれば、前記商品陳列具に取り付けられた商品表示板に、商品の説明や宣伝文句、価格等を表示することができる。
【考案の効果】
【００２１】
本考案によれば、商品陳列具の商品収容部の上方空間をデッドスペースとすることなく、これを商品陳列空間として利用することができる。
【考案を実施するための最良の形態】
【００２２】
図１及び図２を参照すると、本考案に係る商品陳列具全体が符号１で示されている。商品陳列具１は、その構成上、チューインガム、チョコレート等の食品を詰めてなる筒形容器（ボトル）からなる商品２（図３参照）を横倒しにした状態で陳列するのに特に適する。しかし、商品が前記ボトルに限定されるものではなく、また横倒し状態ではなく起立状態での陳列態様が排除されるものでもない。
【００２３】
商品陳列具１はプラスチック材料、好ましくは装飾性を考慮した有色透明のプラスチック材料で一体に成形されてなる。商品陳列具１は、前記プラスチック材料に代えて、例えば金属材料、木材等を用いて形成することができる。
【００２４】
商品陳列具１は、陳列される商品２を収容するための複数（図示の例では３つ）の商品収容部３と、各商品収容部３に設けられた、２つの商品陳列具１を相互に連結するための２つの連結部（第１の連結部）５，７とを備える。各商品収容部３は六角形の横断面形状を有する筒体からなり、互いに相対する開放前端９及び開放後端１１と、互いに相対する内周面１３及び外周面１４とを有する。
【００２５】
図３に示すように、商品２はこれを横倒しにした状態で開放前端９から商品収容部３内に挿入することができる。図示の商品陳列具１にあっては、商品収容部３の長さ寸法すなわち開放前端９と開放後端１１との間の間隔が、商品２の全長よりもわずかに小さいものに設定されている。このため、商品２の一部が商品収容部３の開放前端９から突出している。商品２は、その突出することとなる一部を指で摘んで商品収容部３内に挿入し、また取り出すことができる。
【００２６】
３つの商品収容部３は、これらの開放前端９と開放後端１１とがそれぞれ２つの互いに平行な仮想立面上に位置するように、並列に配置されている。ただし、３つの商品収容部３の並列配置はこの例に限らない。例えば、２つの商品収容部３の開放前端９（又は開放後端１１）が１つの仮想立面上にあり、かつ残りの１つの商品収容部３の開放前端９（又は開放後端１１）がこの仮想立面と平行な他の１つの仮想立面上にあるように並列配置することが可能である。
【００２７】
商品収容部３の横断面形状である前記六角形（図１及び図２に示す例では商品収容部３の内周面１３及びその外周面１４のそれぞれの横断面形状である前記六角形）は、その端面で見て、長さの等しい互いに相対する２つの短辺１５，１６と、各短辺１５，１６より長くかつ互いに等しい４つの長辺１７，１８とを有する。したがって、この六角形は、一方向（図１で見て上下方向）に細長い六角形からなる。
【００２８】
商品収容部３の横断面形状を前記細長い六角形とすると、商品収容部３内に受け入れられる商品２は、商品収容部３の内周面１３との関係において、前記細長い六角形の一部の辺（図５に示す例において２つの長辺１７）に接するが、残りの他の辺１５，１７には接しないで、これらの残りの辺との間に隙間が生じる。これらの隙間が、商品収容部３内における商品２の移動を可能とし、商品収容部３内への商品２の挿入及び取り出し操作を容易にする。
【００２９】
各商品収容部３には、その開放後端１１からの商品２の抜け出しを防止するためのストッパ部（第１のストッパ部）１９が設けられている。ストッパ部１９は、開放後端１１からその内方に張り出す板状体からなる。前記板状体は、商品収容部３の内周面１３における前記六角形の互いに隣接する２つの長辺１７の交差部に配置されている。なお、３つの商品収容部３のうち、これらの中央に位置する商品収容部３には、さらにもう一つのストッパ部１９が設けられており、これらの２つのストッパ部１９は、互いに他の一方に向けて張り出している。また、第１のストッパ部１９を構成する前記板状体の形状は任意に定めることができる。
【００３０】
互いに隣接する２つの商品収容部３は、矩形の中空の板状体からなる接続部２１を介して接続されている。接続部２１は商品収容部３の高さ寸法におけるほぼ中間、すなわち商品収容部３の外周面１４における前記六角形の互いに隣接する長辺１８の交差箇所に位置する。また、接続部２１は、外周面１４における前記六角形の短辺１６の長さ寸法に等しい幅寸法ａと、商品収容部３の開放前端９及び開放後端１１の相互間距離すなわち商品収容部３の軸線方向長さに等しい長さ寸法ｂとを有する。
【００３１】
したがって、２つの商品陳列具１が連結部５，７を介して相互に連結され、これにより１つの商品陳列具１の上に他の１つの商品陳列具１が載置されるとき、下方の商品陳列具１の互いに隣接する２つの商品収容部３の接続部２１及びこれらの商品収容部３の外周面１４における前記六角形の２つの長辺１８を含む部分と、上方の商品陳列具１の互いに隣接する２つの商品収容部３の接続部２１及びこれらの商品収容部３の外周面１４における前記六角形の２つの長辺１８を含む部分とにより、商品２を収容することができる筒状の空間２３が形成される。これらの商品収容空間２３はそれぞれ六角形の横断面形状を有する。より正確には、商品収容空間２３は、商品収容部３の外周面１４の横断面形状である六角形とほぼ同一の横断面形状を有する。
【００３２】
図示の例では、商品収容部３の内周面１３と外周面１４との間の相互間隔、すなわち商品収容部３の壁厚が比較的薄いものに設定されており、このため、商品収容部３の内周面１３の横断面形状と外周面１４の横断面形状とがほぼ等しい。このことから、商品収容空間２３の横断面形状は商品収容部３の横断面形状（内周面１３の横断面形状）にほぼ等しい。その結果、２つの商品陳列具１の相互連結に伴う商品収容空間２３の形成により、実質的な商品収容部３の数量増大が図られ、また無駄な空間の発生が抑制される。
【００３３】
なお、接続部２１はこれを中空の板状体からなるものとする図示の例に代えて、中実の板状体からなるものとすることができる。また、前記板状体からなるものに代えて、例えば互いに間隔を置いて配置された複数本の棒状体からなるものとすることができる。
【００３４】
商品収容空間２３には、商品収容部３の開放前端９から開放後端１１に向けて、商品２を挿入することができる。商品収容空間２３からの商品２の抜け出し、より正確には開放後端１１からの商品２の抜け出しを防止するため、商品収容部３の接続部２１にストッパ部（第２のストッパ）２５が設けられている。
【００３５】
第２のストッパ部２５は、商品収容部３の開放後端１１の側にあって、互いに隣接する２つの商品収容部３間を伸びる細長い板状体からなり、接続部２１から下方へ張り出している。第２のストッパ部２５は、図２に示すように、第１のストッパ部１９に連なる、該第１のストッパ部と一体をなすものとして形成することができる。なお、第２のストッパ部２５を構成する前記板状体の形状は任意に定めることができる。
【００３６】
２つの商品陳列具１を相互に連結する連結部５，７は、それぞれ、互いに係合可能である雄型及び雌型をなす。また、両連結部５，７は、それぞれ、各商品収容部３の外周面１４上、より詳細には前記六角形の短辺１６を含む外周面１４の一部上に配置され、開放前端９から開放後端１１まで真直ぐに伸びている。
【００３７】
雄型の連結部５はＴ形の横断面形状を有するＴ形突起からなり、雌型の連結部７はＴ形の横断面形状を有する凹所を規定する一対のＬ形突起からなる。これによれば、１つの商品陳列具１の各Ｔ形突起を他の商品陳列具１の両Ｌ形突起間の凹所に挿入し、該Ｌ形突起に沿って各商品収容部３の軸線方向に滑動させて両者を係合させることにより、２つの商品陳列具１を相互に連結することができる。２つの商品陳列具１は、前記Ｔ形突起と両Ｌ形突起との摩擦係合により、解除可能に連結される。両商品陳列具１の相互連結の解除は、前記Ｔ形突起を両Ｌ形突起に沿って滑動させ、両Ｌ形突起間の凹所から抜き去ることにより行うことができる。
【００３８】
なお、図示の例では、各商品陳列具１に雄型の連結部５及び雌型の連結部７の双方が設けられているが、この例に代えて、２つの商品陳列具１の一方に雄型の連結部５のみが設けられ、他の一方の商品陳列具１に雌型の連結部７のみが設けられているようにすることができる。また、図示の例では、連結部５，７が各商品収容部３に設けられているが、これに代えて、これらの連結部５，７が１つの商品収容部３、例えば３つの商品収容部３のうちの中央に位置する商品収容部３のみに設けられているようにすることができる。また、１つの商品収容部３のみに連結部５又は連結部７が設けられているようにすることができる。さらに、連結部５，７は、前記Ｔ形突起及びＬ形突起とする図示の例に代えて、他の外形を有する突起及びこれに対応する凹所を規定する突起とすることができる。
【００３９】
商品陳列具１は、これを単体で、あるいは連結部５，７を介して相互連結された複数段の商品陳列具１にして使用することができる（図３及び図５参照）。商品陳列具１は、その単体又は積み重ねられた複数段のものを陳列台、棚等の上に置くことにより、あるいはひもで吊すことにより、所望の場所に設置することができる。図示の例にあっては、各第２のストッパ部２５に吊り下げひもを通すための孔２７が設けられている（図２参照）。
【００４０】
商品陳列具１は、２つの商品陳列具１を相互に連結するための他の２つの連結部（第２の連結部）２９，３１を備えるものとすることができる（図２参照）。連結部２９，３１は、それぞれ、隣り合う２つの商品収容部３の第１のストッパ部１９に設けられている。より詳細には、第１のストッパ部１９を介して両商品収容部３の開放後端１１に設けられている。
【００４１】
図示の例では、一方の連結部２９は第１のストッパ部１９から商品収容部３の軸線方向へ突出する突起からなり、他方の連結部３１は穴からなる。前記突起は２つの大小２つの突起部分３３，３５からなり、また前記穴は大小２つの穴部分３７，３９からなる。
【００４２】
両突起部分３３，３５はそれぞれ直方体からなる。小さい突起部分３３は第１のストッパ部１９に連なり、また大きい突起部分３５は小さい突起部分３３に連なっている。小突起部分は板状体からなる第１のストッパ部１９の厚さ寸法にほぼ等しい厚さ寸法（前基軸線方向長さ）を有する。他方、穴部分３７，３９はそれぞれ矩形の平面形状を有し、小さい穴部分３７が大きい穴部分３９の下方に位置する。
【００４３】
小さい突起部分３３の横断面形状及び大きい突起部分３５の横断面形状は、それぞれ、小さい穴部分３７の平面形状及び大きい穴部分３９の平面形状とほぼ同じであり、これらの穴部分３７，３９を貫通することができる。
【００４４】
これらの突起部分３３，３５と穴部分３７，３９とを介しての２つの商品陳列具１の連結は、次のようにして行うことができる。まず、２つの商品陳列具１を互いに背中合わせにする。すなわち、これらの商品陳列具１の商品収容部３の開放後端１１が互いに対向するようにする。次に、一方の商品陳列具１を他方の商品陳列具１に近づけ、一方の商品陳列具１の大きい突起部分３５及び小さい突起部分３３を、他方の商品陳列具１の大きい穴部分３９に順次通す。これにより、大きい突起部分３５が大きい穴部分３９から他方の商品陳列具１の商品収容部に突出し、小さい突起部分３３が大きい穴部分３９を貫通する状態にする。次いで、他方の商品陳列具１に対して一方の商品陳列具１を下降させる。これにより、小さい突起部分３３が小さい穴部分３７を貫通する状態にする。このとき、小さい穴部分３７に大きい突起部分３５が対向するところ、大きい突起部分３５は小さい穴部分３７を貫通することができないため、他方の商品陳列具１の第１のストッパ部１９が大きい突起部分３５と一方の商品陳列具１の第１のストッパ部１９とにより挟み込まれる。その結果、２つの商品陳列具１が相互に連結される（図４参照）。この連結態様では、商品２を互いに反対向きにした状態で陳列することができる。
【００４５】
突起部分３３，３５及び穴部分３７，３９を介して相互に連結された２つの商品陳列具１の連結解除は、一方の商品陳列具１を上昇させて小さい突起部分３３を他方の商品陳列具１の小さい穴部分３７から大きい穴部分３９に移動させ、次いで、一方の商品陳列具１を他方の商品陳列具１から引き離し、これにより他方の商品陳列具１の大きい穴部分３９から小さい突起部分３３及び大きい突起部分３５を順次に抜き去ることにより、行うことができる。なお、突起部分３３，３５及び穴部分３７，３９については、図示の例に代えて、他の形状のもの、例えば突起部分３３，３５をそれぞれ球状及び円柱状のものとし、穴部分３７，３９をそれぞれ円形状及び長穴状のものとすることができる。
【００４６】
次に、図５を参照すると、商品表示板４１が取り付けられた商品陳列具１が示されている。商品表示板４１は、図６及び図７に示すように、透明なプラスチック板からなるカバー４３と、紙片４５とからなる。
【００４７】
カバー４３は、Ｌ字状に折り曲げられた２つの折り曲げ部４７，４９と、一方の折り曲げ部４７に対して折り返された折り返し部５１とからなり、他方の折り曲げ部４９には３対の爪部分５３が設けられている。
【００４８】
紙片４５は、一方の折り曲げ部４７と折り返し部５１との間に配置されかつこれらに保持されている。紙片４５には、商品陳列具１により陳列される商品の名称、価格、宣伝文句等を記載することができ、記載内容は一方の折り曲げ部４７を通して読み取ることができる。
【００４９】
他方の折り曲げ部４９に設けられた各対の爪部分５３は、第１の連結部５，７のそれぞれに係合可能とされている。より詳細には、図６に示すように、各対の爪部分５３は、これらが前記Ｔ形突起（５）と商品収容部３との間の２つの隙間５５に挿入可能であるように、これらの間に凹部５７が設けられ、これにより互いに間隔ｔをおいて配置され、さらに各対の爪部分５３の両側方にそれぞれ２つの凹部５９が設けられている。また、図７に示すように、各対の爪部分５３は、これらが両Ｌ形突起（７）と商品収容部３との間に規定する両隙間６１に挿入可能であるように、これらの間に前記したと同一の凹部５７が設けられ、これにより互いに間隔ｔをおいて配置され、さらに各対の爪部分５３の両側方にそれぞれ２つの凹部５９が設けられている。
【００５０】
これによれば、各対の爪部分５３を２つの隙間５５（又は２つの隙間６１）に挿入することにより、各対の爪部分５３が前記Ｔ形突起（５）（又は前記Ｌ形突起（７））に係合する。その結果、商品表示板４１が商品陳列具１に取り付けられる。
【００５１】
商品表示板４１は、例えば、これを商品陳列具１の後面、すなわち商品収容部３の開放後端１１の側に取り付けることにより、適当な平面上に載置された商品陳列具１の倒れ防止手段とすることができる。
【００５２】
なお、前記したところでは、商品収容部３が六角形の横断面形状を有する内周面及び外周面を有するものについて説明したが、これに代えて、円形又は他の多角形の横断面形状を有する内周面及び外周面を有するものであってもよい。また、前記内周面の横断面形状と前記外周面の横断面形状とが異なるものであってもよい。さらに、前記した例では、前記内周面と外周面との間隔がこれらの周方向に関して均一であるが、これに代えて不均一のものであってもよい。さらに、前記した例では、商品陳列具１の２つの商品収容部３が接続部２１を介して相互に接続されているが、これに代えて、接続部２１を介在させることなしに、２つの商品収容部３同士が直接に接続されているものであってもよい。
【図面の簡単な説明】
【００５３】
【図１】本考案に係る商品陳列具の前面側から見た斜視図である。
【図２】商品陳列具の後面側から見た斜視図である。
【図３】多段に積み重ねられかつ互いに連結された複数の商品陳列具の斜視図である。
【図４】互いに背中合わせに連結された２つの商品陳列具の側面図である。
【図５】商品表示板が取り付けられた、多段に積み重ねられかつ互いに連結された複数の商品陳列具をその前面から見た立面図である。
【図６】商品表示板と商品陳列具の一部とを示す斜視図である。
【図７】逆さにした商品表示板と商品陳列具の一部とを示す斜視図である。
【符号の説明】
【００５４】
１    商品陳列具
２    商品
３    商品収容部
５    第１の連結部
７    第１の連結部
９    開放前端
１３    内周面
１４    外周面
１１    開放後端
１９    第１のストッパ部
２１    接続部
２３    商品収容空間
２５    第２のストッパ部
２７    孔
２９    第２の連結部
３１    第２の連結部
４１    商品表示板
【図１】
0003129866.tif 000003
【図２】
0003129866.tif 000004
【図３】
0003129866.tif 000005
【図４】
0003129866.tif 000006
【図５】
0003129866.tif 000007
【図６】
0003129866.tif 000008
【図７】
0003129866.tif 000009